(57)【要約】      （修正有）【課題】注射し終えると同時に、管体が注射針を覆い、使用者が別途注射針安全キャップを取付ける必要が無く、効率と安全性の向上が可能な、安全注射筒を提供する。【解決手段】押子１０と注射筒２０とからなり、押子の両端にはそれぞれ第一及び第二押動部が設けられ、第一押動部１１にはカバー体１４が設けられ、カバー体の底面からは棒体１４１が延伸する。棒体の末端には固定部品が設けられ、接続部品１１１と結合される。接続部品の他端上には中空の管体１１２が設けられ、接続部品内には位置制限穴が設けられ、位置制限穴内には階段部が設けられる。棒体上には弾性部品１３が被せられ、棒体は位置制限穴内に挿設され、固定部品と階段部とを当接させる。注射筒の内部には収容スペース２１が設けられ、注射筒の底面には突出した中空の固定部２３が設けられる。固定部には注射針２４が取付けられ、管体は注射針よりも長い。押子の第二押動部１２は収容スペース内に収容され、注射筒は管体内に位置する。【選択図】図１
0003208190.tif 000002
【実用新案登録請求の範囲】
【請求項１】
押子と、注射筒とからなる、安全注射筒であって、
前記押子の両端には、それぞれ第一押動部及び第二押動部が設けられ、
前記第一押動部には、カバー体が設けられ、
前記カバー体の底面は延伸して棒体を形成し、
前記棒体の末端には、固定部品が設けられるとともに、前記棒体は接続部品と結合され、
前記接続部品の他端には、中空の管体が設けられるとともに、前記接続部品内部には、外部と連通した位置制限穴が設けられ、
前記位置制限穴内には、階段部が設けられ、
前記棒体上には、弾性部品が嵌められるとともに、前記棒体は、前記固定部品と前記階段部とを当接させるように、前記位置制限穴内に挿設され、
前記注射筒の内部には、収容スペースが設けられるとともに、前記注射筒の頂面両側には、それぞれ凸縁が延伸して設けられ、且つ前記注射筒の底面には、突出した中空の固定部が設けられ、
前記固定部には、注射針が取付けられ、
前記管体の長さは、前記注射針の長さよりも大きく、
前記押子の第二押動部は、前記収容スペース内に収容され、
前記注射筒は、前記管体内に位置することを特徴とする、安全注射筒。
【請求項２】
更に、前記押子の接続部品一側には、凸状の係止部が設けられ、
これにより、前記カバー体が回転するとともに、これに連動して前記接続部品が回転することで、前記係止部と前記凸縁が係止固定されることを特徴とする、請求項１に記載の安全注射筒。
【請求項３】
更に、前記管体の一端面には、ストッパー部が設けられ、
前記ストッパー部上には、前記注射筒の固定部と対応する透孔が設けられることを特徴とする、請求項１に記載の安全注射筒。
【請求項４】
更に、前記注射筒の長さは、前記管体の長さよりも大きく、
前記注射筒の直径は、前記管体の直径よりも小さいことを特徴とする、請求項１に記載の安全注射筒。
【考案の詳細な説明】
【技術分野】
【０００１】
本考案は、注射筒に関し、特に、注射し終えると同時に、管体が注射針を覆うことで、効率と安全性の向上が可能な、安全注射筒に関する。
【背景技術】
【０００２】
注射筒での薬剤注射は侵襲的処置の一種であり、注射針を人体の皮膚に刺し入れる必要があるため、一般的な注射筒を使用した後、注射針上或は注射針内部に体液が残留してしまうことがよくある。このため、多くの医療或は医療廃棄物処理に関わるスタッフが、前記注射筒の注射後における注射針の不適切な処理が原因で、注射筒の注射針で刺し傷を負ったり、更にはＡＩＤＳ・肺結核〔ＴＢ〕等の血液感染症に感染したりしている。
【０００３】
また、一般的な注射筒は、注射針の部分にいずれも注射針キャップ（蓋）が設けられており、注射針が使用前に破損・汚染しないように保護するだけでなく、注射筒の使用後、前記注射針キャップで前記注射針外側を被覆することで、医療或は医療廃棄物処理に関わるスタッフが注射針で刺し傷を負うことを防いで、医療或は医療廃棄物処理に関わるスタッフに感染が生じないようにする。しかし、医療スタッフが使用後の注射針に注射針キャップで蓋をしようとする時、前記注射針キャップの開口口径が小さいために、前記注射針を前記注射針キャップ内に挿入しにくく、挿入角度のズレや不注意によって誤差が生じて精確な位置に挿入されず、針刺し事故を招くことがある。よって、潜在的に疾病感染の危険性に曝されていると言える。
【０００４】
上述した欠点のほか、従来の注射針キャップの欠点は、医療スタッフが注射を終えた後、注射針キャップを手に取って注射針上に取付けなければならない点であり、安全面と効率性においていずれも改善の余地がある。
【考案の概要】
【考案が解決しようとする課題】
【０００５】
上述の欠点に鑑み、本考案は、注射し終えると同時に、管体が注射針を覆うことで、使用者が別途注射針安全キャップを取付ける必要が無く、効率と安全性の向上が可能な、安全注射筒を提供することを目的とする。
【課題を解決するための手段】
【０００６】
上述の目的を達成するために、本考案の安全注射筒は、押子と、注射筒とからなる。前記押子の両端には、それぞれ第一押動部及び第二押動部が設けられる。前記第一押動部にはカバー体が設けられ、カバー体の底面からは棒体が延伸して設けられる。棒体の末端には固定部品が設けられ、且つ接続部品と結合される。前記接続部品の他端には中空の管体が設けられるとともに、前記接続部品の内部には外部と連通した位置制限穴が設けられる。前記位置制限穴内には階段部が設けられる。棒体上には弾性部品が嵌められるとともに、前記棒体は前記位置制限穴内に挿設され、且つ前記固定部品と前記階段部とを当接させる。また、前記注射筒の内部には、収容スペースが設けられるとともに、前記注射筒の頂面両側にはそれぞれ凸縁が延伸して設けられ、且つ前記注射筒の底面には突出した中空の固定部が設けられる。前記固定部には、注射針が取付けられる。前記管体の長さは、前記注射針の長さよりも大きい。前記押子の第二押動部は、前記収容スペース内に収容される。前記注射筒は、前記管体内に位置する。
【図面の簡単な説明】
【０００７】
【図１】本考案の斜視分解図である。
【図２】本考案の俯瞰、及び一部断面図である。
【図３】本考案の係止状態の概略図である。
【図４】本考案の分離状態の概略図である。
【図５】図４に基づく斜視外観図である。
【図６】本考案の使用状態の概略図である。
【図７】本考案の注射状態の概略図である。
【考案を実施するための形態】
【０００８】
図１及び図２を参照する。本考案の安全注射筒１は、第一押子１０と、注射筒２０とからなる。各部品については以下で述べる。
【０００９】
押子１０の両端には、それぞれ第一押動部１１及び第二押動部１２が設けられる。第一押動部１１にはカバー体１４が設けられ、カバー体の底面からは棒体１４１が延伸して設けられる。棒体１４１上には弾性部品１３が嵌められるとともに、棒体１４１の末端には固定部品１４１１が設けられ、且つ棒体１４１は接続部品１１１と結合される。接続部品１１１上には、凸状の係止部１１３が設けられる。
【００１０】
接続部品１１１内には、外部と連通した位置制限穴１１１１が設けられ、位置制限穴１１１１内には階段部１１１２が設けられる。棒体１４１は位置制限穴１１１１内に挿設されるとともに、固定部品１４１１と階段部１１１２とを当接させることで、棒体１４１は抜け落ちなくなる。接続部品１１１の他端には、中空の管体１１２が設けられるとともに、管体１１２の一端面にはストッパー部１１２１が設けられる。ストッパー部１１２１上には、注射筒２０の固定部２３と対応する透孔１１２２が設けられる。
【００１１】
注射筒２０の内部には、収容スペース２１が設けられるとともに、注射筒２０の頂面両側にはそれぞれ凸縁２２が延伸して設けられ、且つ注射筒２０の底面には突出した中空の固定部２３が設けられる。固定部２３には、注射針２４が取付けられる。管体１１２の長さは、注射針２４の長さよりも大きい。押子１０の第二押動部１２は、収容スペース２１内に収容される。注射筒２０は、管体１１２内に位置する。本実施例において、注射筒２０の長さは管体１１２の長さよりも大きく、且つ注射筒２０の直径は管体１１２の直径よりも小さいため、注射筒２０は管体１１２内に設けられることが可能である。
【００１２】
図３を参照する。本考案の安全注射筒１の初期状態において、係止部１１３と凸縁２２は係止固定されているため、押子１０が移動することはない。よって使用する際には、先ずカバー体１４を回す必要がある。カバー体１４は押子１０の第一押動部１１と結合されているため、カバー体１４は第一押動部１１と連動して共に回転し、これにより係止部１１３が凸縁２２から離脱する（図４及び図５参照）。図２及び図６を参照する。係止部１１３が凸縁２２から離脱した後、押子１０が移動可能になり、採血或は薬液採取を行うことが出来る。押子１０を引き動かした時、棒体１４１の固定部品１４１１と階段部１１１２が当接するとともに、これに連動して接続部品１１１が移動することにより、弾性部品１３が引っ張られて位置制限穴１１１１から離脱することが無くなる。
【００１３】
図７を参照する。注射時において、押子１０の第一押動部１１を押圧すると、棒体１４１は位置制限穴１１１１内に入るため、注射の動作がより安定する。更に、接続部品１１１と第一押動部１１が結合されているため、管体１１２は押子１０に従って共に移動し、且つ徐々に注射針２４の外周に被さる。更に引続き押子１０が押し動かされて、管体１１２の前端及びストッパー部１１２１が人体の皮膚に接触した時、弾性部品１３によって管体１１２が後方へ収縮することで、残った薬液が全て注射されるようになる。注射針２４が抜かれた時、管体１１２は人体に阻まれることが無いため、前方へ弾性的に伸び、これにより注射針２４が完全に管体１１２内に位置するようになる。よって、注射針２４が人に刺さることが無くなり、安全上の目的が達成される。
【００１４】
図３を参照する。注射が終わった後、カバー体１４を回して係止部１１３と凸縁２２とを係止固定し、使用前の状態に戻すことで、管体１１２が第一押動部１１の一端へ向かって移動することが無くなる。よって、従来の注射筒のリキャップ時における針刺し事故のリスクが完全に回避されて、安全性が大幅に向上する。
【符号の説明】
【００１５】
１        安全注射筒
１０      押子
１１      第一押動部
１１１    接続部品
１１１１  位置制限穴
１１１２  階段部
１１２    管体
１１２１  ストッパー部
１１２２  透孔
１１３    係止部
１２      第二押動部
１３      弾性部品
１４      カバー体
１４１    棒体
１４１１  固定部品
２０      注射筒
２１      収容スペース
２２      凸縁
２３      固定部
２４      注射針
【図１】
0003208190.tif 000003
【図２】
0003208190.tif 000004
【図３】
0003208190.tif 000005
【図４】
0003208190.tif 000006
【図５】
0003208190.tif 000007
【図６】
0003208190.tif 000008
【図７】
0003208190.tif 000009